(57)【特許請求の範囲】
【請求項１】
水加熱器と、該水加熱器で加熱された湯を供給する給湯路とを有する給湯器において、前記給湯路の水温が第１所定温度より高いときは閉弁し、低いときは開弁する第１感熱応動弁と、該給湯路の水温が第１所定温度より低温の第２所定温度より低いときは閉弁し、高いときは開弁する第２感熱応動弁とを、前記水加熱器より下流側の該給湯路に設け、
第１感熱応動弁が閉弁したときには、その閉弁位置からみて上流側の前記給湯路から湯または水を排出し、第１感熱応動弁が開弁したときには、該給湯路からの湯または水の排出を停止する第１排出手段と、第２感熱応動弁が閉弁したときには、その閉弁位置からみて上流側の前記給湯路から湯または水を排出し、第２感熱応動弁が開弁したときには、該給湯路からの湯または水の排出を停止する第２排出手段とのうち少なくともいずれか一方を、前記水加熱器より下流側の給湯路に設けることを特徴とする給湯器。
【請求項２】
第１排出手段を第１感熱応動弁の近傍に設け、第２排出手段を第２感熱応動弁の近傍の前記給湯路に設けることを特徴とする請求項１記載の給湯器。
【発明の詳細な説明】
【０００１】
【発明の属する技術分野】
本発明は給湯器に関する。
【０００２】
【従来の技術】
従来、水加熱器と、水加熱器で加熱された湯が供給される給湯路と、水加熱器の下流側の給湯路に設けられ、所定温度より高温の湯に応答して閉弁し、所定温度より低温の湯又は水に応答して開弁する感熱応動弁とよりなる給湯器が知られている（例えば、特許第２５０７２４４号参照）。この所定温度は、これよりも高温の湯が供給されると、使用者に不快をもたらすような温度に設定される。
【０００３】
この給湯器において、使用者による誤操作のため、或いは給湯停止後の水加熱器の余熱により水が過加熱されるいわゆる後沸きのため、給湯路内に所定温度より高温の湯が生じる場合がある。この場合、所定温度より高温の湯に応答して感熱応動弁が閉弁して給湯が停止されるので、使用者は不快を感じることなく給湯器を使用できる。
【０００４】
前記給湯器において、所定温度より高温の湯の供給は停止されるが、低温の湯又は水は使用者にそのまま供給される。従って、前記所定温度より低温で、かつ、使用者に不快感を与えるほど冷たい水が、使用者に供給されるのを防止できないという不都合があった。
【０００５】
【発明が解決しようとする課題】
本発明は前記不都合を解消して、使用者に不快感を与えない温度の湯又は水のみを供給できる給湯器を提供することを目的とする。
【０００６】
【課題を解決するための手段】
前記課題を解決するための本発明の給湯器は、水加熱器と、該水加熱器で加熱された湯を供給する給湯路とを有する給湯器において、前記給湯路の水温が第１所定温度より高いときは閉弁し、低いときは開弁する第１感熱応動弁と、該給湯路の水温が第１所定温度より低温の第２所定温度より低いときは閉弁し、高いときは開弁する第２感熱応動弁とを、前記水加熱器より下流側の該給湯路に設け、第１感熱応動弁が閉弁したときには、その閉弁位置からみて上流側の前記給湯路から湯または水を排出し、第１感熱応動弁が開弁したときには、該給湯路からの湯または水の排出を停止する第１排出手段と、第２感熱応動弁が閉弁したときには、その閉弁位置からみて上流側の該給湯路から湯または水を排出し、第２感熱応動弁が開弁したときには、該給湯路からの湯または水の排出を停止する第２排出手段とのうち少なくともいずれか一方を、前記水加熱器より下流側の給湯路に設けることを特徴とする。
【０００７】
第１所定温度は、これより高温の湯が供給されると、使用者に不快感を与えるおそれのある温度に設定される。第２所定温度は、これより低温の水が供給されると、使用者に不快感を与えるおそれのある温度に設定される。
【０００８】
使用者による誤操作等の原因のため、水加熱器が所期の通り作動せず、第１所定温度より高温の湯が給湯路に流れたとき、これに応答して第１感熱応動弁が閉弁して給湯路が遮断され、給湯が停止される。また、同様の原因により、第２所定温度より低温の水が給湯路に流れたとき、これに応答して第２感熱応動弁が閉弁して給湯路が遮断され、給水が停止される。従って、第１所定温度より高温の湯及び第２所定温度より低温の水は供給されず、使用者は不快に感じることなく給湯器を使用できる。
【０００９】
給湯・給水の停止により自身の誤操作等に気づいた使用者が、操作をし直した場合、第１所定温度より低温かつ第２所定温度より高温の湯又は水が給湯路に流れうる状態となる。しかし、給湯路内に残った第１所定温度より高温の湯又は第２所定温度より低温の水の温度が、第１所定温度より低温かつ第２所定温度より高温に変化しない限り、第１及び第２感熱応動弁のうちいずれか１つが閉弁したままである。
【００１１】
第１排出手段を設けることにより、閉弁した第１感熱応動弁の上流にある第１所定温度より高温の湯が排出される。第２排出手段を設けることにより、閉弁した第２感熱応動弁の上流にある第２所定温度より低温の水が排出される。このため、第１所定温度より低温かつ第２所定温度より高温の湯又は水が時間を置かずに給湯路に流れることが可能となる。従って、給湯・給水の停止から再開までに要する時間が短縮され、使用者は快適に給湯器を使用できる。
【００１２】
また、第１排出手段を第１感熱応動弁の近傍に設け、第２排出手段を第２感熱応動弁の近傍の前記給湯路に設けるのがよい。これにより、第１及び第２感熱応動弁の一方が閉弁したとき、第１所定温度より低温かつ第２所定温度より高温の湯又は水がその閉弁位置にまで流れてくることができる。これにより、第１及び第２感熱応動弁はより迅速に開弁することができる。従って、給湯・給水の停止か再開までに要する時間がより確実に短縮され、使用者はより快適に給湯器を使用できる。
【００１３】
【発明の実施の形態】
次に、添付の図面を用いて本発明の実施形態の給湯器について説明する。図１は本発明の給湯器の構成図であり、図２乃至図５は本発明の給湯器における感熱応動弁及び排出弁の説明的断面図である。図１示の給湯器において、１は湯又は水が通過する給湯路、２はバーナ３により加熱されて給湯路１を通過する水を昇温させる熱交換器、４はバーナ３にガスを供給するガス供給路である。
【００１４】
給湯路１には、熱交換器２の上流側に水圧受動部５及び水量調節弁６が設けられ、下流側には給湯栓７、第１感熱応動弁８及び第２感熱応動弁９が設けられている。第１感熱応動弁８の近傍かつ上流側には、給湯路１より分岐し、第１排出弁１０により開閉される第１排出路１２が設けられている。第２感熱応動弁９の近傍かつ上流側には、給湯路１より分岐し、第２排出弁１１により開閉される第２排出路１３が設けられている。給湯路１の末端には湯又は水をシャワー状にして使用者に供給するためのシャワーヘッド１４が設けられている。
【００１５】
水圧受動部５は給湯路１の水流圧力に応じて駆動される。水流調節弁６は温度制御部１５の操作により給湯路１の開口度を制御して通水量を調節する。給湯栓７はつまみの操作により開閉され、給湯路１を遮断・連通させる。第１感熱応動弁８は、第１所定温度より高温の湯に応答して閉弁し、第１所定温度より低温の湯又は水に応答して開弁するように構成されている。第２感熱応動弁９は、第２所定温度より低温の水に応答して閉弁し、第２所定温度より高温の水又は湯に応答して開弁するように構成されている。第１排出弁１０は、第１感熱応動弁８が閉弁したとき開弁し、開弁したとき閉弁して第１排出路１２を連通・遮断させる。第２排出弁１１は、第２感熱応動弁９が閉弁したとき開弁し、開弁したとき閉弁して第２排出路１３を連通・遮断させる。
【００１６】
ガス供給路４には、水圧応動弁１６と、ガス量調節弁１７と、ガスガバナ１８とが設けられている。水圧応動弁１６は水圧受動部５と一体的に形成されており、水圧受動部５が給湯路１を流れる水の圧力により駆動されると、それに応じて開弁駆動される。ガス量調節弁１７は温度制御部１５の操作によりガス供給路４の開口度を制御してバーナ３へのガス供給量を調節する。ガスガバナ１８はバーナ３に供給されるガスのガス圧を一定にする。
【００１７】
使用者が給湯を開始すべく、温度制御部１５を操作し、給湯栓７を開くと、これに応じて水量調節弁６及びガス量調節弁１７の開口度が適宜調節されるとともに図示しない水道管より給湯路１に水が供給される。水流の圧力により水圧受動部５が駆動されるとともに、水圧応動弁１６が開弁駆動され、バーナ３にガスが供給され、このガスが図示しない点火手段により点火されてバーナ３に燃焼炎が生じる。バーナ３の燃焼炎により加熱された熱交換器２により給湯路１を通過する水が加熱され、シャワーヘッド１４を介して供給される。使用者が給水を開始すべく温度制御部１５を操作したときは、ガス量調節弁１７が閉弁するのでバーナ３にガスが供給されず、バーナ３には燃焼炎が生じない。従って、給湯路１を通過する水が熱交換器２により加熱されないでシャワーヘッド１４を介して供給される。なお、本実施形態の給湯器においては、水を加熱する手段としてバーナ３により加熱される熱交換器２を用いたが、電熱器等の手段を用いてもよい。
【００１８】
以下、本実施形態の給湯器の主要部である第１感熱応動弁８、第２感熱応動弁９、第１排出弁１０、第２排出弁１１について図２及び図３を用いて説明する。第１感熱応動弁８は有底筒状の弁本体１９と、弁本体１９に軸方向に可動に内挿された略筒状の弁体２０とを有する。弁本体１９内には弁体２０をその右方向に付勢しているバネ２１と、形状記憶合金よりなり、弁体２０をその左方向に付勢している第１感熱バネ２２とが設けられている。
【００１９】
弁本体１９の側壁右端にバネシート２３が設けられている。バネシート２３には流入口２４が開設されている。また、弁本体１９の側壁には、流出口２５、開口２６が開設されている。更に、弁本体１９の流出口２５より右側、左側の側壁内周には、弁本体１９の底壁に向かって徐々に縮径した弁座２７、２８が形成されている。弁本体１９の弁座２８よりさらに底壁側には環状台座２９が形成されている。弁体２０の側壁外周にはＯリング３０、３１が装着されている。また、弁体２０の側壁右端、左端にはそれぞれガイド３２、３３が設けられている。ガイド３２、３３には、湯又は水が通過可能なように各々流通スリット３２ａ、３３ａが設けられている。更に、弁体２０の側壁内周には顎部３４が形成されている。バネ２１は弁本体１９の底壁と弁体２０の側壁左端との間に介装されている。第１感熱バネ２２は、バネシート２３と弁体２０の顎部３４との間に介装されている。第１感熱バネ２２は、第１所定温度より高温の湯に接触しているときはその弾性力が大きくなり、第１所定温度より低温の湯又は水に接触しているときはその弾性力が小さくなるように構成されている。
【００２０】
第１排出弁１０は、略筒状の弁本体３５と、弁本体３５に取り付けられた略筒状の管３６とを有する。また、弁本体３５と管３６との間に形成された収納部３７には、軸方向に可動に内挿された弁体３８と、弁体３８を上方向に付勢しているバネ３９とが設けられている。
【００２１】
弁本体３５の上端には流出口４０が開設されている。弁本体３５の流出口４０付近の内壁には環状弁座４１が形成されている。弁本体３５の側壁内周下部にはネジ部４２が形成されている。管３６の側壁外周にはＯリング４３が装着されている。また、管３６の側壁外周上部にはネジ部４４が形成されている。ネジ部４２とネジ部４４とが螺合し、Ｏリング４３が弁本体３５の側壁内周に摺接することにより弁本体３５と管３６とが接続されている。弁体３８にはディスクバルブ４５が装着されている。また、弁体３８の側壁外周には湯又は水が通過可能なように溝４６が設けられている。弁体３８の下端にはストッパ４７が設けられている。ストッパ４７には湯又は水が通過可能なように、流通スリット４７ａが設けられている。バネ３９は、管３６の側壁上端と弁体３８の下端との間に介装されている。
【００２２】
第１感熱応動弁８は弁本体１９の内部が流入口２４、流出口２５を通じて給湯路１の上流、下流に各々連通するように設けられている。第１排出弁１０は弁本体３５の内部が流出口４０、管３６を通じて給湯路１の上流、第１排出路１２に各々連通するように設けられている。
【００２３】
第１所定温度より高温の湯が給湯路１の上流から流れてきて第１感熱バネ２２に接触したとき、第１感熱バネ２２の弾性力が第１感熱応動弁８のバネ２１の弾性力よりも充分大きくなる。このとき、第１感熱応動弁８において、図２のように弁体２０が左方向に駆動され、Ｏリング３０、３１がそれぞれ弁座２７、２８に摺接することにより流出口２５が閉じられる。また、ストッパ３３が環状台座２９に当接して弁体２０の左方向への移動が規制され、Ｏリング３０、３１が弁座２７、２８に過度の力で押し付けられて損傷されることを防止する。
【００２４】
流出口２５が閉じられて給湯路１が遮断されることにより給湯路１の上流側の水圧が上昇し、第１排出弁１０のディスクバルブ４５にかかる圧力が上昇する。この圧力がバネ３９の弾性力より充分大きくなると、図２のように弁体３８は下方向に駆動され、ディスクバルブ４５が環状弁座４１から離反することにより流出口４０が開かれる。ストッパ４７が管３６の側壁上端に当接して弁体３８の下方向への移動が規制される。従って、第１所定温度より高温の湯は矢印のように流出口４０を通過して排出路１２に流れる。
【００２５】
第１所定温度より低温の湯又は水が給湯路１の上流から流れてきて第１感熱バネ２２に接触したとき、第１感熱バネ２２の弾性力が第１感熱応動弁８のバネ２１の弾性力よりも充分小さくなる。このとき、第１感熱応動弁８において、図３のように弁体２０が右方向に駆動され、Ｏリング３０、３１がそれぞれ弁座２７、２８から離反することにより流出口２５が開かれる。また、ストッパ３２がバネシート２３に当接して弁体２０の右方向への移動が規制される。
【００２６】
流出口２５が開かれて給湯路１が連通されることにより給湯路１の上流側の水圧が降下し、第１排出弁１０のディスクバルブ４５にかかる圧力が降下する。第１排出弁１０においてこの圧力がバネ３９の弾性力より充分小さくなると、図３のように弁体３８は上方向に駆動され、ディスクバルブ４５が環状弁座４１に当接することにより流出口４０が閉じられる。従って、第１所定温度より低温の湯又は水は矢印のように流出口２５を通過して給湯路１の下流に流れる。
【００２７】
第２感熱応動弁９は、基本的構造は第１感熱応動弁８と同じ構造である。また、第２排出弁１１は第１排出弁１０と全て同じ構造である。図２及び図３において、これらの同じ構造については同一の符号を用い、異なる構造については括弧付き符号を用いて説明する。第２感熱応動弁９が第１感熱応動弁８と異なるのは、バネ２１、第１感熱バネ２２が、第２感熱バネ４８、バネ４９に置き換えられている点である。
【００２８】
第２感熱バネ４８は、第２所定温度より低温の水に接触しているときはその弾性力がバネ４９の弾性力より充分に小さくなり、第２所定温度より高温の水又は湯に接触しているときはその弾性力がバネ４９の弾性力より充分に大きくなるように構成されている。従って、第２所定温度より低温の水に対しては図２のように第２感熱応動弁９が閉弁し、第２排出弁１１が開弁する。また、第２所定温度より高温の水又は湯に対しては図３のように第２感熱応動弁９が開弁し、第２排出弁１１が閉弁する。
【００２９】
本実施形態の給湯器によれば、第１所定温度より高温の湯に応答して第１感熱応動弁８が閉弁し、第２所定温度より低温の水に応答して第２感熱応動弁９が閉弁して給湯・給水を停止する。従って、第１所定温度より高温の湯及び第２所定温度より低温の水は供給されず、使用者は不快に感じることなく給湯器を使用できる。また、第１排出弁１０により第１所定温度より高温の湯を第１排出路１２に排出し、第２排出弁１１により第２所定温度より低温の水を第２排出路１３に排出する。この排出により、給湯・給水が停止されても第１所定温度より低温かつ第２所定温度より高温の湯又は水が時間を置かずに第１感熱応動弁８、第２感熱応動弁９まで流れることが可能になる。従って、給湯・給水が停止されてから再開されるまでに要する時間がわずかとなり、使用者はより快適に給湯器を使用できる。
【００３０】
本実施形態の給湯器における第１感熱応動弁８、第２感熱応動弁９、第１排出弁１０、第２排出弁１１の他の構成例について図４及び図５を用いて説明する。第１感熱応動弁８及び第１排出弁１０の間には、駆動体５０が設けられている。駆動体５０を介して両弁が駆動される。
【００３１】
第１感熱応動弁８は、有底筒状の弁本体５１の内部に、軸方向に可動に内挿された略筒状の弁体５２とを有する。弁本体５１内には弁体５２を上方向に付勢しているバネ５３と、形状記憶合金よりなり、弁体５２を下方向に付勢している第１感熱バネ５４とが設けられている。
【００３２】
弁本体５１の側壁上端にストッパ５５が設けられている。また、弁本体５１の側壁には流出口５６が開設されている。更に、弁本体５１の流出口５６より上側、下側の側壁内周には弁本体５１の底壁に向かって徐々に縮径した弁座５７、５８が形成されている。弁本体５１の弁座５８よりさらに底壁側には環状台座５９が形成されている。弁体５２の側壁外周にはＯリング６０、６１が装着されている。また、弁体５２の側壁上端、下端にはそれぞれガイド６２、６３が設けられている。ガイド６２、６３には湯又は水が通過可能なように、各々流通スリット６２ａ、６３ａが設けられている。更に、弁体５２側壁内周には顎部６４が形成されている。バネ５３は弁本体５１の底壁と弁体５２の側壁下端との間に介装されている。第１感熱バネ５４は、第１所定温度より高温の湯に接触しているときはその弾性力が大きくなり、第１所定温度より低温の湯又は水に接触しているときはその弾性力が小さくなるように構成されている。
【００３３】
第１排出弁１０は、略筒状の弁本体６５と、弁本体６５に取り付けられた略筒状の管６６とを有する。また、弁本体６５と管６６との間に形成された収納部６７には、軸方向に可動に内挿された弁体６８と、弁体６８を下方向に付勢しているバネ６９とが設けられている。
【００３４】
弁本体６５の下端壁には流出口７０が開設されている。弁本体６５の流出口７０付近の下端壁内側には環状弁座７１が形成されている。弁本体６５の側壁内周上部にはネジ部７２が形成されている。管６６の側壁外周にはＯリング７３が装着されている。また、管６６の側壁外周下部にはネジ部７４が形成されている。ネジ部７２とネジ部７４とが螺合し、Ｏリング７３が弁本体６５の側壁内周に摺接することにより弁本体６５と管６６とが接続されている。弁体６８にはディスクバルブ７５が装着されている。また、弁体６８の側壁外周には湯又は水が通過可能なように溝７６が設けられている。弁体６８の上端にはストッパ７７が設けられている。ストッパ７７には、湯又は水が通過可能なように、流通スリット７７ａが設けられている。バネ６９は管６６の側壁下端と弁体６８の上端との間に介装されている。
【００３５】
駆動体５０は基部と、基部上の上縁フランジと、基部上面から突出したロッドとが一体になって形成されている。ロッドの上端はディスクバルブ７５下端に当接している。フランジ下端は第１感熱バネ５４の上端に当接し、基盤上端にはストッパ７８が設けられている。ストッパ７８には、自身を介して湯又は水が通過可能なように流通スリット７８ａが設けられている。
【００３６】
第１感熱応動弁８は、弁本体５１の内部が上端開口、流出口５６を通じて給湯路１の上流、下流に各々連通するように設けられている。第１排出弁１０は、弁本体６５の内部が流出口７０、管６６を通じて給湯路１の上流、第１排出路１２に各々連通するように設けられている。
【００３７】
第１所定温度より高温の湯が流れてきたとき、第１感熱バネ５４の弾性力が第１感熱応動弁８のバネ５３の弾性力よりも充分大きくなる。このとき、第１感熱応動弁８において、図４のように、弁体５２が下方向に駆動され、Ｏリング６０、６１がそれぞれ弁座５７、５８に摺接することにより、流出口５６が閉じられる。ガイド６３が環状台座５９に当接して弁体５２の下方向への移動が規制され、Ｏリング６０、６１が弁座５７、５８に過度の力で押し付けられて損傷されることを防止する。
【００３８】
また、このとき同時に第１感熱バネ５４の弾性力が第１排出弁１０のバネ６９の弾性力よりも充分大きくなる。これにより第２感熱応動弁９において、図４のように弁体６８は上方向に駆動され、ディスクバルブ７５が環状弁座７１から離反することにより流出口７０が開かれる。また、ストッパ７７が管６６の側壁下端に当接して弁体６８の上方向への移動が規制される。ストッパ７８が弁本体６５の下端壁に当接して駆動体５０の上方向への移動が規制され、ディスクバルブ７５が駆動体５０のロッドにより過度の力で押し付けられ損傷されることを防ぐ。以上のように流出口５６が閉じられ流出口７０が開かれるので、第１所定温度より高温の湯は矢印のように排出口７０を通過して第１排出路１２に流れる。
【００３９】
第１所定温度より低温の湯又は水が流れてきたとき、第１感熱バネ５４の弾性力が第１感熱応動弁８のバネ５３の弾性力よりも充分小さくなる。これにより、図５のように弁体５２が上方向に駆動され、Ｏリング６０、６１がそれぞれ弁座５７、５８から離反することにより流出口５６が開かれる。ガイド６２がストッパ５５に当接して弁体５２の上方向への移動が規制される。
【００４０】
また、このとき同時に第１感熱バネ５４の弾性力が第１排出弁１０のバネ６９の弾性力よりも充分小さくなる。従って、図５のように弁体６８は下方向に駆動され、ディスクバルブ７５が環状弁座７１に当接することにより流出口７０が閉じられる。以上のように流出口７０が閉じられて流出口５６が開かれるので、第１所定温度より低温の湯又は水は矢印のように流出口５６を通過して給湯路１の下流に流れる。
【００４１】
第２感熱応動弁９は基本的構造は第１排出弁１０と同じ構造である。また、第２排出弁１１は基本的構造は第１感熱応動弁８と同じ構造である。図４及び図５においてこれらの同じ構造については同一の符号を用い、異なる構造については括弧付き符号を用いて説明する。第２感熱応動弁９が第１排出弁１０と異なるのは、バネ６９がバネ７９に置き換えられている点である。第２排出弁１１が第１感熱応動弁８と異なるのは、バネ５３がバネ８０に置き換えられている点である。また、第２感熱応動弁９及び第２排出弁１１の開閉は、両弁間に介装された第２感熱バネ８１により行われる点も異なっている。
【００４２】
第２感熱バネ８１は、第２所定温度より低温の水に接触しているときはその弾性力がバネ７９の弾性力及びバネ８０の弾性力より小さくなるように構成されている。また、第２感熱バネ８１は、第２所定温度より高温の水又は湯に接触しているときはその弾性力がバネ７９の弾性力及びバネ８０の弾性力より大きくなるように構成されている。従って、第２所定温度より低温の水に対しては、図５のように第２感熱応動弁９が閉弁し、第２排出弁１１は開弁する。また、第２所定温度より高温の水又は湯に対しては、図４のように第２感熱応動弁９が開弁し、第２排出弁１１は閉弁する。
【００４３】
本構成例の第１感熱応動弁８、第２感熱応動弁９、第１排出弁１０、第２排出弁１１を用いた場合も前述のような効果が得られる。即ち、第１所定温度より高温の湯及び第２所定温度より低温の水は供給されず、使用者は不快に感じることなく給湯器を使用できる。また、給湯・給水が停止されてから再開されるまでに要する時間がわずかとなり、使用者はより快適に給湯器を使用できる。
【００４４】
第１排出弁１０、第２排出弁１１の一方が水圧に応じて開閉し、他方が水温に応じて開閉するようにしてもよい。即ち、第１排出弁１０が、給湯路１の水温が第１所定温度より高いか低いかに応じて開弁・閉弁し、第２排出弁１１が、給湯路１の水圧が所定圧より高いか低いかに応じて開弁・閉弁するようにしてもよい。或いは、第１排出弁１０が、給湯路１の水圧が所定圧より高いか低いかに応じて開弁・閉弁し、第２排出弁１１が、給湯路１の水温が第２所定温度より低いか高いかに応じて開弁・閉弁するようにしてもよい。このような構成の給湯器によっても、第１感熱応動弁が閉弁したときには第１所定温度より高温の湯を給湯路１から排出し、第２感熱応動弁が閉弁したときには第２所定温度より低温の水を給湯路１から排出できる。従って、給湯・給水が停止されてから再開されるまでに要する時間がわずかとなり、使用者はより快適に給湯器を使用できる。
【００４５】
第１排出弁１０及び第１排出路１２又は第２排出弁１１及び第２排出路１３のいずれか一方を省略してもよい。この場合、給湯・給水の再開までには多少時間を要する場合が生じるものの、第１感熱応動弁８、第２感熱応動弁９により、第１所定温度より高温の湯及び第２所定温度より低温の水の供給を停止できるので使用者は不快に感じることなく給湯器を使用できる。
【図面の簡単な説明】
【図１】本発明の給湯器の構成図
【図２】本発明の給湯器における感熱応動弁及び排出弁の説明的断面図
【図３】本発明の給湯器における感熱応動弁及び排出弁の説明的断面図
【図４】本発明の給湯器における感熱応動弁及び排出弁の説明的断面図
【図５】本発明の給湯器における感熱応動弁及び排出弁の説明的断面図
【符号の説明】
１‥給湯路、２‥熱交換器（水加熱器）、８‥第１感熱応動弁、９‥第２感熱応動弁、１０‥第１排出弁（第１排出手段）、１１‥第２排出弁（第２排出手段）、１２‥第１排出路（第１排出手段）、１３‥第２排出路（第２排出手段）
【図１】
0003765917.tif 000002
【図２】
0003765917.tif 000003
【図３】
0003765917.tif 000004
【図４】
0003765917.tif 000005
【図５】
0003765917.tif 000006